(57)【要約】【課題】位置調整を容易に行うことができるオプション部材、並びにそれを備えた背凭れおよび椅子の提供を目的とする。【解決手段】椅子の背凭れに設けられるオプション部材であって、背凭れ本体に取り付けられるブラケットと、ブラケットに対し上下方向にスライド移動するオプション部材本体と、オプション部材本体に取り付けられオプション部材本体とともに上下方向に移動する被操作体と、を備え、ブラケットには、係合部が設けられ、被操作体は、操作者によって操作されるレバー部と、係合部と係合方向に係合する被係合部が設けられる動作部と、を有し、係合部および被係合部のうち何れか一方は、上下方向に並んで複数配置され、動作部は、レバー部への操作により係合方向に沿って移動する、オプション部材。【選択図】図５
2020069267.tif 000002
【特許請求の範囲】
【請求項１】
椅子の背凭れに設けられるオプション部材であって、
背凭れ本体に取り付けられるブラケットと、
前記ブラケットに対し上下方向にスライド移動するオプション部材本体と、
前記オプション部材本体に取り付けられ前記オプション部材本体とともに上下方向に移動する被操作体と、を備え、
前記ブラケットには、係合部が設けられ、
前記被操作体は、
操作者によって操作されるレバー部と、
係合方向において前記係合部に係合する被係合部が設けられ、前記被係合部を前記係合方向に移動させる動作部と、を有し、
前記係合部および前記被係合部のうち何れか一方は、上下方向に並んで複数配置され、
前記動作部は、前記レバー部への操作により前記係合方向に沿って移動する、
オプション部材。
【請求項２】
前記係合方向に沿って前記動作部を前記ブラケット側に押し付ける付勢部材を備える、
請求項１に記載のオプション部材。
【請求項３】
前記オプション部材本体および前記被操作体の一方には、前記係合方向に沿って延びる凹溝が設けられ、
前記オプション部材本体および前記被操作体の他方には、前記係合方向に沿って延び前記凹溝に挿入される凸条部が設けられる、
請求項１又は２に記載のオプション部材。
【請求項４】
前記ブラケットは、
前記背凭れ本体に連結される連結部と、
前記連結部の後方で前記オプション部材本体を支持する支持部と、を有し、
前記レバー部は、前記支持部の上側に位置する、
請求項１〜３の何れか一項に記載のオプション部材。
【請求項５】
前記係合方向は、水平方向に対し上側に第１角度で傾斜する方向である、
請求項１〜４の何れか一項に記載のオプション部材。
【請求項６】
前記係合部は、水平方向に沿って突出する突起であり、
前記被係合部は、水平方向に沿って凹む凹部であり、
前記係合部は、根元から先端まで前記係合方向に傾斜する第１傾斜面を有し、
前記被係合部は、開口から底部まで前記係合方向に傾斜する第２傾斜面を有する、
請求項５に記載のオプション部材。
【請求項７】
前記オプション部材本体は、前記レバー部の操作方向において前記レバー部と隙間を介して配置される支点部を有する、
請求項１〜６の何れか一項に記載のオプション部材。
【請求項８】
前記オプション部材は、着衣がかけられるハンガーとしの機能を有し、
前記オプション部材本体は、前記支点部から左右方向にそれぞれ延び前記着衣の肩部を支持する一対の肩支持部を有し、
前記レバー部は、前記支点部の前方に位置する、
請求項７に記載のオプション部材。
【請求項９】
着座者の背中を支える前記背凭れ本体と、
前記背凭れ本体に取り付けられる請求項１〜８の何れか一項に記載のオプション部材と、を備える、
背凭れ。
【請求項１０】
請求項９に記載の背凭れを備える、椅子。
【発明の詳細な説明】
【技術分野】
【０００１】
本発明は、オプション部材、背凭れおよび椅子に関する。
【背景技術】
【０００２】
従来から、事務用等として用いられる椅子には、背凭れ部の背面側に衣服を吊下げるためのハンガーユニットや着座者の頭部を支えるヘッドレスト等のオプション部材が取り付けられたものが知られている（例えば、特許文献１および特許文献２）。
【先行技術文献】
【特許文献】
【０００３】
【特許文献１】特開２０１１−１３６０２４号公報
【特許文献２】特開２０１４−０８３１２６号公報
【発明の概要】
【発明が解決しようとする課題】
【０００４】
オプション部材は、背凭れに対して上下方向に位置調整される。従来の椅子では、一方の手で可動部分と固定部分との係合を解除し他方の手で可動部分を上下に移動させる必要があった。このため、片手が塞がった状態でオプション部材の位置調整を行うことがでず、オプション部材の操作性が悪いという問題があった。
【０００５】
本発明は、このような課題に鑑みてなされたものであり、位置調整を容易に行うことができるオプション部材、並びにそれを備えた背凭れおよび椅子の提供を目的とする。
【課題を解決するための手段】
【０００６】
本発明の一態様のオプション部材は、椅子の背凭れに設けられるオプション部材であって、背凭れ本体に取り付けられるブラケットと、前記ブラケットに対し上下方向にスライド移動するオプション部材本体と、前記オプション部材本体に取り付けられ前記オプション部材本体とともに上下方向に移動する被操作体と、を備え、前記ブラケットには、係合部が設けられ、前記被操作体は、操作者によって操作されるレバー部と、係合方向において前記係合部に係合する被係合部が設けられ、前記被係合部を前記係合方向に移動させる動作部と、を有し、前記係合部および前記被係合部のうち何れか一方は、上下方向に並んで複数配置され、前記動作部は、前記レバー部への操作により前記係合方向に沿って移動する。
【０００７】
上述の構成によれば、レバー部の操作によって動作部が係合方向に移動し、ブラケットおよび動作部材に設けられた係合部と被係合部との係合か解除される。このため、係合部と被係合部との係合を解除させた状態でオプション部材本体を上下に移動させることで、ブラケットに対するオプション部材本体の上下方向位置調整を容易に行うことができる。
また、上述の構成によれば、レバー部を有する被操作体が、オプション部材本体とともにブラケットに対して上下方向に移動する。このため、レバー部を操作しながら、オプション部材を上下に移動させることができる。したがって、オプション部材本体とレバー部とを片手で同時に操作することでき、オプション部材本体の位置調整の容易性が高まる。
【０００８】
上述のオプション部材において、前記係合方向に沿って前記動作部を前記ブラケット側に押し付ける付勢部材を備える、構成としてもよい。
【０００９】
上述の構成によれば、付勢部材が動作部をブラケット側に押し付けるため、操作者がレバー部の操作を解除することで、係合部が被係合部に自動的に係合される。すなわち、操作者は、レバー部を係合解除と反対方向に操作する必要がなく、操作者のレバー部の操作を容易とすることができる。
また、上述の構成によれば、付勢部材が動作部をブラケット側に押し付けるため、衝撃などによって係合部と被係合部との係合が解除されることを抑制できる。
【００１０】
上述のオプション部材において、前記オプション部材本体および前記被操作体の一方には、前記係合方向に沿って延びる凹溝が設けられ、前記オプション部材本体および前記被操作体の他方には、前記係合方向に沿って延び前記凹溝に挿入される凸条部が設けられる、構成としてもよい。
【００１１】
上述の構成によれば、被操作体は、オプション部材本体に対して平行移動する。このため、操作者によるレバー部の操作が直線的となり、操作者のレバー部の操作を容易とすることができる。また、被操作体に複数の被係合部が設けられる場合、被操作体が平行移動することで、何れの被係合部に係合部が係合する場合であっても、係合の解除に必要なレバー部の操作ストロークが変わらない。結果的に、操作者のレバー部の操作が容易となる。
【００１２】
上述のオプション部材において、前記ブラケットは、前記背凭れ本体に連結される連結部と、前記連結部の後方で前記オプション部材本体を支持する支持部と、を有し、前記レバー部は、前記支持部の上側に位置する、構成としてもよい。
【００１３】
上述の構成によれば、レバー部がブラケットの支持部より上側に位置するため、操作者は支持部の上側からレバー部にアクセスしてレバー部の操作を行うことができる。このため、操作者のレバー部の操作を容易とすることができる。
【００１４】
上述のオプション部材において、前記係合方向は、水平方向に対し上側に第１角度で傾斜する方向である、構成としてもよい。
【００１５】
上述の構成によれば、係合部と被係合部とは、斜め上側方向に沿って係合する。すなわち、係合方向が、重力方向と反対側の成分を有するため、動作部に突発的な力が付与された場合であっても、係合部と被係合部との係合が解除され難い。
また、上述の構成において、レバー部の操作方向が係合方向と一致する場合、レバー部の操作方向が、斜め上側となる。このため、立位の操作者にとって、レバー部の操作が容易となる。
【００１６】
上述のオプション部材において、前記係合部は、水平方向に沿って突出する突起であり、前記被係合部は、水平方向に沿って凹む凹部であり、前記係合部は、根元から先端まで前記係合方向に傾斜する第１傾斜面を有し、前記被係合部は、開口から底部まで前記係合方向に傾斜する第２傾斜面を有する、構成としてもよい。
【００１７】
上述の構成によれば、係合部および被係合部が係合方向と同角度で傾斜する傾斜面（第１傾斜面および第２傾斜面）を有する。このため、動作部の移動方向と平行な方向に係合部と被係合部とを係合させることができ、操作者のレバー部の操作が容易となる。
【００１８】
上述のオプション部材において、前記オプション部材本体は、前記レバー部の操作方向において前記レバー部と隙間を介して配置される支点部を有する、構成としてもよい。
【００１９】
上述の構成によれば、操作者は、レバー部と支点部とを挟み込むように握り、レバー部を支点部に近づけることでレバー部の操作を行うことができる。このため、レバー部の操作が容易となるとともに、レバー部の操作を行いながら支点部を上下方向に移動させることで、オプション部材本体の位置調整を行うことができる。
【００２０】
上述のオプション部材において、前記オプション部材は、着衣がかけられるハンガーとしの機能を有し、前記オプション部材本体は、前記支点部から左右方向にそれぞれ延び前記着衣の肩部を支持する一対の肩支持部を有し、前記レバー部は、前記支点部の前方に位置する、構成としてもよい。
【００２１】
上述の構成によれば、着衣として前方に開胸するジャケット等をかける場合に、レバー部が着衣の開胸部から露出する。このため、肩支持部に着衣をかけた状態であって、操作者がレバー部を容易に操作することができる。
【００２２】
本発明の一態様の背凭れは、着座者の背中を支える前記背凭れ本体と、前記背凭れ本体に取り付けられる上記のオプション部材と、を備える。
【００２３】
上述の構成によれば、オプション部材を備える背凭れを提供できる。
【００２４】
本発明の一態様の椅子は、上記の背凭れを備える。
【００２５】
上述の構成によれば、オプション部材を備える椅子を提供できる。
【発明の効果】
【００２６】
本発明によれば、位置調整を容易に行うことができるオプション部材、並びにそれを備えた背凭れおよび椅子を提供できる。
【図面の簡単な説明】
【００２７】
【図１】図１は、一実施形態の椅子の正面図である。
【図２】図２は、一実施形態の椅子の背面図である。
【図３】図３は、一実施形態のハンガーユニット（オプション部材）の斜視図である。
【図４】図４は、一実施形態のハンガーユニットの分解図である。
【図５】図５は、一実施形態のハンガーユニットの断面図である。
【発明を実施するための形態】
【００２８】
以下、添付図面を参照して、本発明におけるオプション部材、背凭れおよびそれを備えた椅子を実施するための形態を説明する。しかし、本発明はこの実施形態のみに限定されるものではない。
なお、以下の各図面においては、各構成要素を見やすくするため、構成要素によって寸法の縮尺を異ならせて示すことがある。
【００２９】
以下の説明において、椅子の背凭れに背中を向けて正規姿勢で着座した人の正面を向く向きを「前」と呼び、それと逆側の向きを「後」と呼ぶものとする。また、椅子に正規姿勢で着座した人の上方を向く向きを「上」、それと逆側の向きを「下」と呼び、椅子に正規姿勢で着座した人の左方を「左」、右方を「右」と呼ぶこととする。また、椅子の左右方向を「幅方向」と呼ぶ。
【００３０】
また、図面においては、適宜３次元直交座標系としてＸＹＺ座標系を示す。ＸＹＺ座標系において、「Ｘ方向」は、図１に示す椅子の「幅方向」と平行な方向とする。「Ｚ方向」は、Ｘ方向と直交する方向であって図１の「上下方向」とする。「Ｙ方向」は、Ｘ方向とＺ方向との両方と直交する「前後方向」とする。
【００３１】
（椅子）
図１は、本実施形態の一態様における椅子１の構成を示す正面図である。図２は、本実施形態の一態様における椅子１の構成を示す背面図である。
【００３２】
図１に示すように、本実施形態の椅子１は、床面上に載置される脚部２と、脚部２の上端に設置されるボックス状の支基３と、着座者が着座する座体４と、支基３の上面に取り付けられ座体４を支持する座受部材５と、支基３から後部上方側に延出して座体４に着座した着座者の背中を支持する背凭れ６と、を備える。
【００３３】
脚部２は、キャスタ７ａ付きの多岐脚７と、多岐脚７の中央部より起立し、昇降機構であるガススプリングを内蔵する脚柱８と、を備える。
【００３４】
支基３は、脚柱８の上端部に取り付けられる。支基３には、脚柱８の昇降調整機構と背凭れ６の傾動調整機構が内蔵される。
【００３５】
座体４は、骨格部を成す座体外周枠本体部１３と、座体外周枠本体部１３に張設された座体用面材１４と、を有して備える。
【００３６】
座体外周枠本体部１３は、例えば合成樹脂によって形成され、上面視では四隅が丸みを帯びた略長方形状とされる。座体外周枠本体部１３の外周縁部には、座体外周枠本体部１３の内方に向かって凹む溝１３ｍが周方向に連続して形成される。
【００３７】
座体用面材１４は、多数の孔が形成されたメッシュ状であり、その外周端部が、座体外周枠本体部１３に形成された溝１３ｍに巻き込まれ、溝１３ｍ内に挿入される縁材によって座体外周枠本体部１３に固定される。
【００３８】
背凭れ６は、座体４に着座した着座者の背中からの荷重を支持する。背凭れ６は、その一部が支基３内の傾動調整機構に連結される。
【００３９】
（背凭れ）
以下、本実施形態における背凭れ６の具体的な構成について説明する。
図２に示すように、背凭れ６は、着座者の背中を支える背凭れ本体２０と、背凭れ本体２０に取り付けられるハンガーユニット（オプション部材）３０と、を備える。
【００４０】
背凭れ本体２０は、外周枠部材２８と、外周枠部材２８に張設された背凭れ用面材２９と、外周枠部材２８を支持する背凭れ支持部材２２と、を備える。なお、背凭れ支持部材２２の後方には、背凭れ支持部材２２の締結部を覆う化粧板２３が取り付けられている。
【００４１】
外周枠部材２８は、矩形枠状である。外周枠部材２８は、幅方向（Ｘ方向）に離間した一対の縦杆２８ａと、上杆２８ｂと、下杆２８ｃと、を有する。上杆２８ｂは、一対の縦杆２８ａの上端部同士を繋ぐ。上杆２８ｂには、ハンガーユニット３０が取り付けられる。下杆２８ｃは、一対の縦杆２８ａの下端部同士を繋ぐ。外周枠部材２８は、背凭れ支持部材２２に固定される。外周枠部材２８は、例えば、樹脂、アルミ合金等により作製される。
【００４２】
背凭れ用面材２９は、多数の孔が形成されたメッシュ状の布である。背凭れ用面材２９は、外周端部において、外周枠部材２８に設けられた溝（図示略）に巻き込まれて外周枠部材２８に固定される。座体４に着座した着座者の背中は、背凭れ用面材２９の前面に接触する。外周枠部材２８に布状の背凭れ用面材２９を帳設することにより、着座者の背中を適度な弾力で支持することができる。
【００４３】
背凭れ支持部材２２は、外周枠部材２８の後方に配置される。背凭れ支持部材２２は、外周枠部材２８を支持する。また、背凭れ支持部材２２は、座体４を支持する。背凭れ支持部材２２と外周枠部材２８および座体４との取り付け手段についての具体的な説明は省略するが、例えば、複数の締結具が用いられる。
【００４４】
背凭れ支持部材２２は、一対の側杆部２２Ａと、第１横杆部２２Ｂと、第２横杆部２２Ｃと、一対の延出部（図示略）と、を有する。一対の側杆部２２Ａは、それぞれ外周枠部材２８の一対の縦杆２８ａに沿って上下方向に延びる。背凭れ支持部材２２は、一対の側杆部２２Ａにおいて、外周枠部材２８を支持する。第１横杆部２２Ｂは、左右方向に沿って延び一対の側杆部２２Ａの上端部同士を繋ぐ。第２横杆部２２Ｃは、第１横杆部２２Ｂより下側に位置する。第２横杆部２２Ｃは、側杆部２２Ａの下端から左右方向に沿って延びる。第２横杆部２２Ｃは、一対の側杆部２２Ａ同士を繋ぐ。延出部（図示略）は、第１横杆部２２Ｂの下端から前方に向かって延びる。背凭れ支持部材２２は、一対の延出部２２Ｄにおいて座体４に取り付けられる。
【００４５】
（ハンガーユニット（オプション部材））
ハンガーユニット３０は、椅子１の背凭れ６に設けられる。ハンガーユニット３０には、着衣がかけられる。ハンガーユニット３０は、如何様な長さの着衣であっても裾の床面への接触を防ぐことができるように、着衣をかける部分（肩支持部３５ｂ）の上下位置を調整することができる。
【００４６】
図３は、ハンガーユニット３０の斜視図である。図４は、ハンガーユニット３０の分解図である。図５は、ハンガーユニット３０の断面図である。
【００４７】
図３に示すように、ハンガーユニット３０は、ブラケット３１と、本体（オプション部材本体）３３と、被操作体３６と、コイルばね（付勢部材）３０Ｓと、キャップ部材３０Ｃと、を備える。なお、図４において、コイルばね３８の図示は省略されている。
【００４８】
図５に示すように、ブラケット３１は、背凭れ本体２０に連結される連結部３１ａと、連結部３１ａから後方に延びる腕部３１ｂと、腕部の後端に接続される支持部３２と、を有する。
【００４９】
連結部３１ａは、幅方向に延びる。連結部３１ａは、外周枠部材２８の上杆２８ｂに固定される。すなわち、ブラケット３１は、連結部３１ａにおいて背凭れ本体２０に取り付けられる。連結部３１ａには、幅方向に並ぶ一対の固定孔３１ａａが設けられる。固定孔３１ａａには、上杆２８ｂのねじ穴にねじ止めされる留めねじが挿入される。また、連結部３１ａの後方には、固定孔３１ａａの後方の開口および留めねじの頭部を覆う化粧板３０Ａが取り付けられる。
【００５０】
腕部３１ｂは、連結部３１ａと支持部３２とを繋ぐ。腕部３１ｂは、後方に向かうに従って下側に傾斜して延びる。このため、支持部３２は、連結部３１ａより下側に位置する。
【００５１】
図３に示すように、支持部３２は、連結部３１ａの後方で本体３３を支持する。支持部３２は、腕部３１ｂに繋がる基部３２ａと、基部３２ａから後方に延びる一対の側部３２ｂと、一対の側部３２ｂの前端部からそれぞれ幅方向内側に延びる一対のガイド部３２ｃと、を有する。支持部３２は、基部３２ａと、一対の側部３２ｂと、一対のガイド部３２ｃとにより、上下方向から見て後方に開口するＣ字形状を構成する。
【００５２】
図５に示すように、基部３２ａは、本体３３および被操作体３６の前方に位置する。基部３２ａは、後方を向く後面３２ｅを有する。後面３２ｅは、前後方向において被操作体３６と対向する。後面３２ｅには、水平方向に沿って後方側に突出する突起状の係合部３２ｄが設けられる。すなわち、ブラケット３１には、係合部３２ｄが設けられる。係合部３２ｄは、根元から先端まで水平方向に対し、後述する係合方向ＥＤに傾斜する第１傾斜面３２ｄａを有する。係合部３２ｄは、後述する被操作体３６の被係合部３７ｂと係合する。
【００５３】
図４に示すように、本体３３は、上下方向に沿って延びる本体基部３４と、本体基部３４の上端部に接続されるハンガー部３５と、を有する。
【００５４】
本体基部３４の前方を向く面には、一対のガイド壁３４ａが設けられる。ガイド壁３４ａは、上下方向に沿って延びる。一対のガイド壁３４ａの間には、被操作体３６が配置される。
【００５５】
ガイド壁３４ａの幅方向外側を向く面は、ブラケット３１の側部３２ｂの幅方向内側を向く面と対向する。ガイド壁３４ａの幅方向外側を向く面には、上下方向に沿って延びるレール溝３４ｂが設けられる。レール溝３４ｂには、ブラケット３１に設けられたガイド部３２ｃが挿入される。これにより、本体３３は、ブラケット３１に対し上下方向にスライド移動することができる。
【００５６】
ガイド壁３４ａの幅方向内側を向く面には、それぞれ軸方向内側に突出する複数の凸条部３４ｄが設けられる。複数の凸条部３４ｄは、上下方向に沿って並ぶ。凸条部３４は、後方に向かうに従って上側に傾斜する方向に延びる。凸条部３４ｄは、後述する係合方向ＥＤに沿って延びる。
【００５７】
ハンガー部３５には、着衣がかけられる。ハンガー部３５は、本体基部３４の上端に繋がる支点部３５ａと、支点部３５ａから左右方向にそれぞれ延びる一対の肩支持部３５ｂと、を有する。一対の肩支持部３５ｂは、それぞれ着衣の肩部を支持する。
【００５８】
図５に示すように、支点部３５ａは、後述する被操作体３６のレバー部３８と対向する第１対向面３５ａａを有する。第１対向面３５ａａは、前方を向く。また、第１対向面３５ａａは、前方に向かうに従い上側に傾斜する。第１対向面３５ａａには、コイルばね３０Ｓが収容される第１収容凹部３５ａｂが設けられる。第１収容凹部３５ａｂの底面には、コイルばね３０Ｓの位置ずれを抑制する第１ガイド突起３５ａｃと、が設けられる。
【００５９】
被操作体３６は、本体３３に取り付けられる。被操作体３６は、本体３３のスライド移動ととともに上下方向に移動する。
【００６０】
図４に示すように、被操作体３６は、上下方向に沿って延びる動作部３７と、動作部３７の上端に接続されるレバー部３８と、を有する。
【００６１】
レバー部３８は、操作者によって操作される。後述するように、操作者がレバー部３８を操作することで、ブラケット３１と被操作体３６との係合が解除され、本体３３のブラケット３１に対する上下方向への移動が可能となる。レバー部３８は、幅方向に沿って延びる板状である。
【００６２】
図５に示すように、レバー部３８は、ブラケット３１の支持部３２の上側に位置する。本実施形態によれば、レバー部３８が支持部３２より上側に位置するため、操作者は支持部３２の上側からレバー部３８にアクセスしてレバー部３８の操作を行うことができる。このため、操作者のレバー部３８の操作を容易とすることができる。
【００６３】
また、レバー部３８は、本体３３の支点部３５ａの前方に位置する。本実施形態によれば、前方が開胸する着衣（ジャケット等）をハンガー部３５にかけた状態で、レバー部３８が着衣の開胸部から露出する。このため、ハンガー部３５に着衣をかけた状態であっても、操作者がレバー部３８を容易に操作することができる。
【００６４】
レバー部３８の操作方向ＯＤは、前後方向に対して上側に傾斜する方向である。レバー部３８は、後方を向く第２対向面３８ｂを有する。第２対向面３８ｂは、前方に向かうに従って上側に傾斜する。第２対向面３８ｂの法線方向は、操作方向ＯＤと略一致する。第２対向面３８ｂは、本体３３の第１対向面３５ａａと操作方向ＯＤにおいて隙間を介して対向する。第２対向面３８ｂには、コイルばね３０Ｓが収容される第２収容凹部３８ｃが設けられる。また、第２収容凹部３８ｃの底面には、コイルばね３０Ｓの位置ずれを抑制する第２ガイド突起３８ｄと、が設けられる。
【００６５】
本実施形態によれば、本体３３の支点部３５ａが、レバー部３８の操作方向ＯＤにおいてレバー部３８と隙間を介して配置される。このため、操作者は、レバー部３８と支点部３５ａとを挟み込むように握り、レバー部３８を支点部３５ａに近づけることでレバー部３８の操作を行うことができる。これにより、操作者によるレバー部３８の操作が容易となる。また、本実施形態によれば、レバー部３８の操作を行いながら支点部３５ａを操作して本体３３を上下方向に移動させ易い。
【００６６】
図４に示すように、動作部３７は、横断面矩形の棒体である。動作部３７は、本体３３の一対のガイド壁３４ａの間に配置される。動作部３７の幅方向外側を向く一対の面には、それぞれ複数の凹溝３７ａが設けられる。複数の凹溝３７ａは、上下方向に沿って並ぶ。凹溝３７ａは、後方に向かうに従って上側に傾斜する方向に延びる。凹溝３７ａは、後述する係合方向ＥＤに沿って延びる。凹溝３７ａには、ガイド壁３４ａの幅方向内側を向く面に設けられた凸条部３４ｄが挿入される。
【００６７】
本実施形態によれば、動作部３７の凹溝３７ａに本体３３の凸条部３４ｄが挿入される。このため、レバー部３８への操作に伴い、凸条部３４ｄの外周面が凹溝３７ａの内壁面に沿って滑り、動作部３７が本体３３に対して係合方向ＥＤに沿って平行移動する。また、レバー部３８の操作方向ＯＤと、係合方向ＥＤとが平行となる。本実施形態によれば、操作者によるレバー部３８の操作が直線的となり、操作者のレバー部３８の操作を容易とすることができる。
【００６８】
本実施形態では、本体３３に凸条部３４ｄが設けられ、被操作体３６に凹溝３７ａが向けられる場合について説明した。しかしながら、本体３３および被操作体３６の一方に凹溝３７ａが設けられ、他方に当該凹溝３７ａに挿入される凸条部３４ｄが設けられていればよい。
【００６９】
図５に示すように、動作部３７は、前方を向く前面３７ｃを有する。前面３７ｃは、前後方向においてブラケット３１の基部３２ａの後面３２ｅと対向する。前面３７ｃには、複数の被係合部３７ｂが設けられる。すなわち、動作部３７には、複数の被係合部３７ｂが設けられる。複数の被係合部３７ｂは、上下方向に並ぶ。被係合部３７ｂは、水平方向に沿って後方側に凹む凹部である。被係合部３７ｂは、係合方向ＥＤにおいて係合部３２ｄに係合する。動作部３７は、被係合部３７ｂを係合方向ＥＤに移動させる。
【００７０】
本実施形態によれば、複数の被係合部３７ｂのうち何れか１つには、ブラケット３１の係合部３２ｄが係合する。これにより、被操作体３６および本体３３は、ブラケット３１に対して上下方向に位置決めされる。また、係合部３２ｄが係合する被係合部３７ｂを変えることで、被操作体３６および本体３３の上下方向の位置調整が可能となる。
【００７１】
本実施形態によれば、レバー部３８の操作により被操作体３６がブラケット３１に対し係合方向ＥＤに沿って平行移動する。このため、レバー部３８を操作することで、係合部３２ｄと被係合部３７ｂとの係合を容易に解除できる。また、係合部３２ｄと被係合部３７ｂを解除した状態で、本体３３および被操作体３６をブラケット３１に対し上下方向に移動させることで、係合部３２ｄを他の被係合部３７ｂに容易に係合させることができる。このため、本実施形態によれば、被操作体３６および本体３３をブラケット３１に対し容易に位置調整できる。
【００７２】
本実施形態によれば、レバー部３８を有する被操作体３６が、本体３３とともにブラケット３１に対して上下方向に移動する。このため、レバー部３８を操作しながら、本体３３を上下に移動させることができる。したがって、本体３３とレバー部３８とを片手で同時に操作することでき、本体３３の位置調整の容易性が高まる。
【００７３】
本実施形態において、係合部３２ｄと被係合部３７ｂとは、係合方向ＥＤに係合する。係合方向ＥＤは、少なくとも水平成分を有する。これにより、本体３３に重力方向の応力が加わった際に、係合部３２ｄと被係合部３７ｂとの係合が解除されることを抑制できる。なお、本実施形態において、係合方向ＥＤは、前後方向に沿う方向であるが、幅方向に沿う方向であってもよい。
【００７４】
本実施形態において、係合方向ＥＤは、水平方向に対し上側に第１角度αで傾斜する方向である。すなわち、係合部３２ｄと被係合部３７ｂとは、斜め上側方向に沿って係合する。本実施形態によれば、係合方向ＥＤが重力方向と反対側の成分を有するため、動作部３７に突発的な力が付与された場合であっても、係合部３２ｄと被係合部３７ｂとの係合が解除され難い。また、本実施形態では、レバー部３８の操作方向ＯＤが係合方向ＥＤと一致する。このため、本実施形態において、レバー部３８の操作方向ＯＤは、斜め上側となる。結果的に、操作者が上側に引き上げることでレバー部３８を操作することができ、立位の操作者によるレバー部３８の操作が容易となる。
【００７５】
なお、本実施形態では、ブラケット３１に１つの係合部３２ｄが設けられ、被操作体３６に上下方向に並ぶ複数の被係合部３７ｂが設けられる。しかしながら、ブラケット３１に上下方向に並ぶ複数の係合部３２ｄが設けられ、被操作体３６に１つの被係合部３７ｂが設けられていてもよい。すなわち、係合部３２ｄおよび被係合部３７ｂのうち何れか一方が、上下方向に並んで複数配置されていればよい。
【００７６】
本実施形態では被操作体３６は、レバー部３８の操作により平行移動する。このため、被操作体３６に複数の被係合部３７ｂが設けられることで、何れの被係合部３７ｂに係合部３２ｄが係合する場合であっても、係合の解除に必要なレバー部３８の操作ストロークが変わらない。結果的に、操作者のレバー部３８の操作が容易となる。
【００７７】
また、本実施形態では、ブラケット３１に設けられた係合部３２ｄが突起であり、被操作体３６に設けられた被係合部３７ｂが凹部である場合について説明した。しかしながら、係合部および被係合部は互いに係合するものであれば本実施形態の構成に限定されない。例えば、ブラケットに設けられた係合部が凹部であり、被操作体３６に設けられた被係合部が突起であってもよい。
【００７８】
被係合部３７ｂは、開口から底部まで係合方向ＥＤに傾斜する第２傾斜面３７ｂａを有する。また、係合部３２ｄが被係合部３７ｂに係合した状態で、第２傾斜面３７ｂａは、係合部３２ｄの第１傾斜面３２ｄａと面接触する。
【００７９】
本実施形態によれば、係合部３２ｄおよび被係合部３７ｂが係合方向ＥＤと同角度で傾斜する傾斜面（第１傾斜面３２ｄａおよび第２傾斜面３７ｂａ）を有する。このため、動作部３７の移動方向と平行な方向に係合部３２ｄと被係合部３７ｂとを係合させることができ、操作者のレバー部の操作が容易となる。
【００８０】
コイルばね３０Ｓは、本体３３の第１対向面３５ａａとレバー部３８の第２対向面３８ｂとの間に係合方向ＥＤに圧縮された状態で配置される。コイルばね３０Ｓは、第１対向面３５ａａの第１収容凹部３５ａｂおよび第２対向面３８ｂの第２収容凹部３８ｃに収容される。
【００８１】
コイルばね３０Ｓは、係合方向ＥＤに沿って動作部３７をブラケット３１側に押し付ける。本実施形態によれば、コイルばね３０Ｓが動作部３７をブラケット３１側に押し付けるため、操作者がレバー部３８の操作を解除することで、係合部３２ｄが被係合部３７ｂに自動的に係合される。すなわち、操作者は、レバー部３８を係合解除と反対方向に操作する必要がなく、操作者のレバー部３８の操作を容易とすることができる。また、本実施形態によれば、コイルばね３０Ｓが動作部３７をブラケット３１側に押し付けるため、衝撃などによって係合部３２ｄと被係合部３７ｂとの係合が解除されることを抑制できる。
【００８２】
なお、本実施形態では、付勢部材としてコイルばね３０Ｓを採用する場合について説明した。しかしながら、付勢部材の構成は本実施形態に限定されない。付勢部材は、例えば、第１対向面３５ａａと第２対向面３８ｂとの間に圧縮した状態で配置された板ばねであってもよい。
【００８３】
図３に示すように、キャップ部材３０Ｃは、本体３３の下端部に固定される。また、キャップ部材３０Ｃは、本体３３に取り付けられる被操作体３６の下端部を下側および前側から囲む。キャップ部材３０Ｃは、被操作体３６が本体３３に対し下側又は前側に離脱することを抑制する。
【００８４】
以上に、本発明の実施形態を説明したが、実施形態における各構成およびそれらの組み合わせ等は一例であり、本発明の趣旨から逸脱しない範囲内で、構成の付加、省略、置換およびその他の変更が可能である。また、本発明は実施形態によって限定されることはない。
【００８５】
上述した実施形態では、オプション部材としてのハンガーユニット３０が背凭れ６に設けられる構成について説明した。すなわち、上述の実施形態のハンガーユニット３０は、着衣がかけられるハンガーとしての機能を有する。しかしながら、ヘッドレストなどの他の機能を有するオプション部材において上記の構成を採用してもよい。
【００８６】
また、上述の実施形態では、レバー部３８の操作方向ＯＤと係合部３２ｄおよび被係合部３７ｂの係合方向ＥＤとが互いに一致する場合について説明した。しかしながら、操作方向ＯＤと係合方向ＥＤとは一致しなくてもよい。例えば、被操作体３６がリンク機構を有する場合には、操作方向ＯＤと係合方向ＥＤとが、互いに異なる方向となる。
【符号の説明】
【００８７】
１…椅子、２０…背凭れ本体、３０…ハンガーユニット（オプション部材）、３０Ｓ…コイルばね（付勢部材）、３１…ブラケット、３１ａ…連結部、３２…支持部、３２ｄ…係合部、３２ｄａ…第１傾斜面、３３…本体（オプション部材本体）、３４ｄ…凸条部、３５ａ…支点部、３５ｂ…肩支持部、３６…被操作体、３７…動作部、３７ａ…凹溝、３７ｂ…被係合部、３７ｂａ…第２傾斜面、３８…レバー部、ＥＤ…係合方向、ＯＤ…操作方向、α…第１角度
【図１】
2020069267.tif 000003
【図２】
2020069267.tif 000004
【図３】
2020069267.tif 000005
【図４】
2020069267.tif 000006
【図５】
2020069267.tif 000007